(57)【特許請求の範囲】
【請求項１】
着脱方向に沿った長さおよび厚さが互いに異なる第１および第２のＩＣカードのうちの１つのＩＣカードが通過可能なカードスロットを有するとともに、該第１のＩＣカードの電極部を電気的に接続する第１のコンタクト端子群と、該第１のコンタクト端子群の下方となる位置に配され該第２のＩＣカードの電極部を電気的に接続する第２のコンタクト端子群と、を有し該第１または第２のＩＣカードを収容するＩＣカード収容部と、
前記第１および第２のＩＣカードのうちの１つのＩＣカードを、前記ＩＣカード収容部に保持するとともに、前記カードスロットを通じて排出するイジェクト部材を有するイジェクト機構と、を備え、
前記イジェクト部材は、前記第１のＩＣカードまたは第２のＩＣカードが前記ＩＣカード収容部に保持される場合、前記第１のＩＣカードを支持する第１のイジェクト部材と、該第１のイジェクト部材に連結部を介して連結される第２のイジェクト部材であって、前記第１のＩＣカードの前記長さおよび厚さよりも小なる長さおよび厚さを有する第２のＩＣカードの端部に設けられる凹部に係合されるカード支持部材と、前記カードスロットから離れる方向に該カード支持部材の基端部に対し離隔した高い位置に形成され前記第１のＩＣカードの先端部の端面を受け止める第１のＩＣカード用突き当て面と、該カード支持部材の基端部に形成され前記第２のＩＣカードの先端部の端面を受け止める第２のＩＣカード用突き当て面とを有する第２のイジェクト部材と、を含み、
前記第１のＩＣカードまたは第２のＩＣカードが前記ＩＣカード収容部に保持される場合、前記第１のＩＣカードまたは第２のＩＣカードにおける前記カードスロットを通じて外部に突出する長さが互いに略同一であることを特徴とするＩＣカード用コネクタ。
【請求項２】
前記第２のイジェクト部材におけるカード支持部材は、前記第２のＩＣカードの端部に設けられる凹部に嵌め合わされる位置決め部材を有することを特徴とする請求項１記載のＩＣカード用コネクタ。
【請求項３】
前記イジェクト部材は、前記第１のＩＣカードをリバース挿入状態で前記ＩＣカード収容部に保持することを特徴とする請求項１記載のＩＣカード用コネクタ。
【発明の詳細な説明】
【技術分野】
【０００１】
本発明は、互いに形状の異なる複数のＩＣカードのうちの一枚のＩＣカードを着脱可能に収容できるＩＣカード用コネクタに関する。
【背景技術】
【０００２】
ＩＣカード用コネクタにおいては、互いに形状の異なる複数のＩＣカードを一つの電子機器内に装着し利用するために各ＩＣカードが１枚づつ選択的に着脱される複合のカード収容部をコネクタハウジング内に設けたものが提案されている。そのようなコネクタハウジングは、各ＩＣカードに対し共通のカードスロットをコネクタハウジングに有する。
【０００３】
このようなＩＣカード用コネクタにおいては、各カード収容部は、一部を互いに重複するようにＩＣカードの着脱方向に沿って階層的に形成されている。斯かる構成においては、例えば、仕切部材により仕切られる各カード収容部としての上部スロットおよび下部スロットには、例えば、特許文献１にも示されるように、それぞれ、各ＩＣカードを選択的に排出するイジェクト機構が設けられている。
【先行技術文献】
【特許文献】
【０００４】
【特許文献１】特開２００６−１７２７６８号公報
【発明の概要】
【発明が解決しようとする課題】
【０００５】
ＩＣカード用コネクタが搭載される携帯電話等の電子機器においては、さらなる薄型化が要望されているのでＩＣカード用コネクタのさらなる低背化が必要とされている。
【０００６】
しかしながら、上述のようなＩＣカード用コネクタにおいて上部スロットおよび下部スロットには、それぞれ、各ＩＣカードを選択的に排出するイジェクト機構が設けられている場合、ＩＣカード用コネクタの低背化にも限界がある。
【０００７】
また、ＩＣカード用コネクタが搭載されるデジタルカメラ等の電子機器の筐体において、ＩＣカード用コネクタのカードスロットを覆うカバー部材が設けられる場合がある。このカバー部材は、例えば、何らかの原因により外部から電子機器に衝撃が作用されたとき、カードスロットを介しＩＣカードの不所望な飛び出しを防止するものとされる。このようにカバー部材が設けられる場合、大きさの異なる大小のＩＣカードのうちの一枚が選択的に装着されるとき、ＩＣカード用コネクタのカードスロットから突出する各ＩＣカードの突出長さが、同一でない場合、カバー部材の共通の内周面が隙間なくＩＣカードの端面に当接しないのでカバー部材が有効に作用しない虞がある。
【０００８】
以上の問題点を考慮し、本発明は、互いに形状の異なる複数のＩＣカードのうちの一枚のＩＣカードを着脱可能に収容できるＩＣカード用コネクタであって、ＩＣカードコネクタの低背化を図ることができ、しかも、ＩＣカード用コネクタのカードスロットから突出する各ＩＣカードの突出長さを同一に設定することができるＩＣカード用コネクタを提供することを目的とする。
【課題を解決するための手段】
【０００９】
上述の目的を達成するために、本発明に係るＩＣカード用コネクタは、着脱方向に沿った長さおよび厚さが互いに異なる第１および第２のＩＣカードのうちの１つのＩＣカードが通過可能なカードスロットを有するとともに、第１のＩＣカードの電極部を電気的に接続する第１のコンタクト端子群と、第１のコンタクト端子群の下方となる位置に配され第２のＩＣカードの電極部を電気的に接続する第２のコンタクト端子群と、を有し第１または第２のＩＣカードを収容するＩＣカード収容部と、第１および第２のＩＣカードのうちの１つのＩＣカードを、ＩＣカード収容部に保持するとともに、カードスロットを通じて排出するイジェクト部材を有するイジェクト機構と、を備え、イジェクト部材は、第１のＩＣカードまたは第２のＩＣカードがＩＣカード収容部に保持される場合、第１のＩＣカードを支持する第１のイジェクト部材と、第１のイジェクト部材に連結部を介して連結される第２のイジェクト部材であって、第１のＩＣカードの長さおよび厚さよりも小なる長さおよび厚さを有する第２のＩＣカードの端部に設けられる凹部に係合されるカード支持部材と、カードスロットから離れる方向にカード支持部材の基端部に対し離隔した高い位置に形成され第１のＩＣカードの先端部の端面を受け止める第１のＩＣカード用突き当て面と、カード支持部材の基端部に形成され第２のＩＣカードの先端部の端面を受け止める第２のＩＣカード用突き当て面とを有する第２のイジェクト部材と、を含み、第１のＩＣカードまたは第２のＩＣカードがＩＣカード収容部に保持される場合、第１のＩＣカードまたは第２のＩＣカードにおけるカードスロットを通じて外部に突出する長さが互いに略同一であることを特徴とする。
【００１０】
また、第２のイジェクト部材におけるカード支持部材は、第２のＩＣカードの端部に設けられる凹部に嵌め合わされる位置決め部材を有するものでもよい。
【００１１】
さらに、イジェクト部材は、第１のＩＣカードをリバース挿入状態でＩＣカード収容部に保持するものでもよい。
【発明の効果】
【００１２】
本発明に係るＩＣカード用コネクタによれば、イジェクト部材は、第１のＩＣカードまたは第２のＩＣカードがＩＣカード収容部に保持される場合、第１のＩＣカードを支持する第１のイジェクト部材と、第１のイジェクト部材に連結部を介して連結される第２のイジェクト部材であって、第１のＩＣカードの長さおよび厚さよりも小なる長さおよび厚さを有する第２のＩＣカードの端部に設けられる凹部に係合されるカード支持部材と、カードスロットから離れる方向にカード支持部材の基端部に対し離隔した高い位置に形成され第１のＩＣカードの先端部の端面を受け止める第１のＩＣカード用突き当て面と、カード支持部材の基端部に形成され第２のＩＣカードの先端部の端面を受け止める第２のＩＣカード用突き当て面とを有する第２のイジェクト部材と、を含み、第１のＩＣカードまたは第２のＩＣカードがＩＣカード収容部に保持される場合、第１のＩＣカードまたは第２のＩＣカードにおけるカードスロットを通じて外部に突出する長さが互いに略同一であるのでＩＣカードコネクタの低背化を図ることができ、しかも、ＩＣカード用コネクタのカードスロットから突出する各ＩＣカードの突出長さを同一に設定することができる。
【図面の簡単な説明】
【００１３】
【図１】本発明に係るＩＣカード用コネクタの一例の要部を部分的に拡大して示す斜視図である。
【図２】本発明に係るＩＣカード用コネクタの一例をカバー部材を取り外した状態で示す斜視図である。
【図３】図２に示される例において、仕切り板を取り外した状態で示す斜視図である。
【図４】本発明に係るＩＣカード用コネクタの一例を、ＩＣカードが装着された状態で示す平面図である。
【図５】図４に示されるＶ−Ｖ線に沿って拡大して示される断面図である。
【発明を実施するための形態】
【００１４】
本発明に係るＩＣカード用コネクタの後述する一例は、例えば、携帯電話機、携帯式音響機器、デジタルカメラ等の電子機器内部の配線基板ＰＢ（図５参照）上に配されるものとされる。また、図示が省略される電子機器の筐体は、後述するＩＣカード用コネクタのカードスロットに向かい合うようにカードスロットを覆う蓋部材を備えるものでもよい。
【００１５】
ＩＣカード用コネクタには、メモリーカード、例えば、第１のカードとしてのＳＤカード（ｓｅｃｕｒｅ  ｄｅｇｉｔａｌ ｃａｒｄ）（商標）４２（図５参照）、または、第２のカードとしてのメモリースティックＰＲＯ−Ｄｕｏ（商標）カード４０（以下、Ｄｕｏカード４０ともいう）（図５参照）のうちのいずれか一枚が着脱可能に収容される。ＩＣカード用コネクタは、収容されたメモリーカードのコンタクトパッドと所定の電子機器の内部に配される信号入出力用等の配線基板ＰＢの接続端子部とを電気的に接続するものとされる。
【００１６】
なお、メモリーカードは、上述のＳＤカードに限られることなく、ＭＭＣ（ｍｕｌｔｉ  ｍｅｄｉａ  ｃａｒｄ）カード（商標）、フラッシュメモリまたは超小型のハードディスクを内蔵したカード等のいずれかの中から選択されるものであってもよい。
【００１７】
ＳＤカード４２は、例えば、厚さ約２．１ｍｍ、縦横の寸法がそれぞれ約３２ｍｍ、約２４ｍｍに設定されている。Ｄｕｏカード４０の長手寸法、厚さ、および幅寸法は、ＳＤカード４２の長手寸法、厚さ、および幅寸法に比して、小である。ＳＤカード４２は、互いに平行に形成される複数の凹部内に配されるコンタクトパッドをその裏面部の先端部に有している。その裏面部の先端部における一方の角には、面取り部が形成されている。また、ＳＤカード４２の右側面部には、移動可能なライトプロテクトボタンが設けられている。
【００１８】
Ｄｕｏカード４０は、相対向する表面部および裏面部を有する。Ｄｕｏカード４０は、その先端の角部に、面取り部を有している。Ｄｕｏカード４０における裏面部には、その面取り部に隣接した部分に形成される比較的浅い凹部４０２（図５参照）の周囲に、突起部がＤｕｏカード４０の側面に沿って所定の長さだけ形成されている。
【００１９】
Ｄｕｏカード４０の裏面部における先端部には、上述の凹部４０２から中央側に離隔した位置に、複数の凹部がその長辺に対し略平行に所定の間隔で形成されている。各凹部の幅およびＤｕｏカード４０の長手方向に沿った長さは、互いに同一に設定されている。隣接する凹部相互間、および、その列の端に位置する凹部と上述の凹部との間は、仕切壁により仕切られている。上述の複数の凹部、例えば、１０個の凹部には、それぞれ、コンタクトパッドが配設されている。
【００２０】
図２は、本発明に係るＩＣカード用コネクタの一例の全体の外観を示す。
【００２１】
ＩＣカード用コネクタは、図２に示されるように、収容されるＳＤカード４２、または、Ｄｕｏカード４０に対する電気的接続を行う複数のコンタクト端子等が配列されるベース部材１０と、ベース部材１０と協働し各カードのカード収容部を形成するカバー部材１２（図４参照）とを含んで構成されている。
【００２２】
門形状断面形状を有するカバー部材１２は、図４に示されるように、薄板の金属材料に対し打ち抜きや折曲げなどの加工が行われることにより、形成されている。カバー部材１２の両方の側面部には、略長方形の係合孔（不図示）が複数個、形成されている。
【００２３】
カバー部材１２は、後述するベース部材１０の側壁部１０１および１０２における各爪部と、対応する上述の各係合孔とがそれぞれ係合されることにより、ベース部材１０に対し固定されることとなる。
【００２４】
また、カバー部材１０の両側面部を連結する上面部における一方の側面部側には、図４に示されるように、後述するイジェクト機構２４におけるカムレバー５０（図１参照）を移動可能に支持する押さえバネ１２２が設けられている。弾性を有する押さえバネ１２２の基端部は、カバー部材１２に一体に形成されている。押さえバネ１２２は、例えば、カバー部材１２の一部がプレス加工によりその内側に向けて打ち抜かれて形成されている。従って、カバー部材１２における押さえバネ１２２に対応する部分の周囲には、開口が形成されている。
【００２５】
さらに、上述の上面部における押さえバネ１２２に隣接して後述する複数のコンタクト端子２６の真上となる位置には、複数の開口部が対応して形成されている。各開口部の周縁には、カード収容部に向けて突出する折曲片が形成されている。折曲片は、挿入されたＳＤカード４２の端部に当接することにより、正規の挿入方向側の端部とは逆となる方向側の端部からＳＤカード４２を誤ってカードスロットに挿入する、所謂、逆差し挿入によるコンタクト端子２６の損傷を回避するものとされる。
【００２６】
上述のカバー部材１２により後述するベース部材１０が覆われることにより、ベース部材１０とカバー部材１２との間のカード収容部の一方の端部に、ＳＤカード４２、Ｄｕｏカード４０のうちの一方のカードが選択的に通過される共通のカードスロット１０４が形成されることとなる。
【００２７】
その共通のカードスロット１０４としての開口端部は、図２に示されるように、挿入されるＳＤカード４２の断面形状に対応した階段形状の横断面を有している。
【００２８】
ベース部材１０は、例えば、成形樹脂材料で一体に成形されている。ベース部材１０の側壁１０１および側壁１０２は、大小の略長方形を積み重ねたような横断面を有する開口端部の一部を形成するように、通過するＳＤカード４２の一方の側部を案内する案内部１０８と、案内部１０８に対し向かい合い他方の側部を案内する案内部１０６とをそれぞれ、有している。案内部１０６および１０８の最下端部は、それぞれ、通過するＤｕｏカード４０の各側部を案内するものとされる。
【００２９】
ベース部材１０は、図２に示されるように、ＳＤカード４２およびＤｕｏカード４０が着脱可能に収容されるカード収容部の両側部をそれぞれ形成する側壁１０１、１０２と、Ｄｕｏカード用の１０本のコンタクト端子３０、および、ＳＤカード４２用の９本のコンタクト端子２６が配されるコンタクト端子固定壁部１０３とを含んで構成されている。
【００３０】
側壁１０１の外面には、上述のカバー部材１２の複数の係合孔に対応して複数の爪部が所定の間隔で形成されている。側壁１０２の外面にも、図示が省略されるが、同様な爪部が上述のカバー部材１２の係合孔に対応して複数箇所に所定の間隔で形成されている。
【００３１】
例えば、各コンタクト端子２６は、所定の相互間隔で側壁１０１，１０２に対して略平行に、カード収容部におけるコンタクト端子固定壁部１０３に近い部分に配列されている。また、複数のコンタクト端子３０は、所定の相互間隔で側壁１０１、１０２に対して略平行に、各コンタクト端子２６の下方となる位置に配列されている。
【００３２】
薄板金属材料、例えば、バネ用燐青銅で作られるコンタクト端子２６は、弾性を有しＳＤカード４２のコンタクトパッドに当接し電気的に接続される接点部と、配線基板ＰＢの電極部に半田付け固定され電気的に接続される半田付端子部と、その接点部と半田付端子部とを相互に連結し、ベース部材１０のコンタクト端子固定壁部１０３に固定される固定部とを含んで構成されている。コンタクト端子２６の固定部は、図示が省略されるが、コンタクト端子固定壁部１０３に形成される溝に、コンタクト端子固定壁部１０３に形成される透孔を通じてＳＤカード４２の挿入方向とは反対方向の側から圧入されることにより、ベース部材１０に固定されている。
【００３３】
薄板金属材料、例えば、バネ用燐青銅で作られるコンタクト端子３０は、弾性を有しＤｕｏカード４０のコンタクトパッドに当接し電気的に接続される接点部と、上述の配線基板の電極部に半田付け固定され電気的に接続される半田付端子部と、その接点部と半田付端子部とを相互に連結し、ベース部材１０のコンタクト端子固定壁部１０３に固定される固定部とを含んで構成されている。コンタクト端子３０の固定部は、カード収容部の底部とともにインサート成形されることにより、ベース部材１０に固定されている。
【００３４】
また、コンタクト端子２６および３０の半田付端子部は、それぞれ、コンタクト端子固定壁部１０３から外部に向けて突出している。
【００３５】
コンタクト端子３０の接点部近傍には、挿入されたＳＤカード４２をコンタクト端子３０に向けて案内し付勢する仕切板２０が昇降動可能に設けられている。挿入されたＳＤカード４２またはＤｕｏカード４０を選択的にコンタクト端子２６またはコンタクト端子３０に向けて誘導する仕切板２０の両側部は、それぞれ、ベース部材１０の案内部１１０（図２においては、一方側のみ示す）により昇降動可能に支持されている。仕切板２０の両側部は、それぞれ、押上バネ３２（図３参照）により上方に向けて付勢されている。また、押上バネ３２により付勢される仕切板２０は、その両側部からそれぞれコンタクト端子固定壁部１０３に向けて延びる一端部がカバー部材１２の上部の内周面に当接することにより、仕切板２０の最上端位置が所定の位置に規制される。
【００３６】
仕切板２０が配置されている位置よりもカードスロット１０４側の底部には、挿入されたＤｕｏカード４０を上方に向けて付勢する複数の弾性片４４および４６が、所定の相互間隔をもって並設されている。
【００３７】
また、カードスロット１０４の一部を形成する側壁１０１、１０２の内側には、カード誤挿入防止機構が設けられている。カード誤挿入防止機構は、ＳＤカード４２のコンタクトパッドをカバー部材１２の内周面に向けて挿入される状態、所謂、リバース挿入状態でＳＤカード４２の進行方向の端部が当接することにより、ＳＤカード４２のコンタクト端子３０への誤った侵入を規制する誤挿入規制部材としてのアクチュエータ１８と、アクチュエータ１８をロック状態、またはアンロック状態とする一対のロック金具部材１４、１６と、アクチュエータ１８を一方向に付勢するねじりコイルバネ（不図示）とを含んで構成されている。
【００３８】
クランクのように形成されるアクチュエータ１８は、両端に軸部をそれぞれ有するとともに、一方の軸部と他方の軸部とを連結する連結部を中央部に有している。
【００３９】
円柱状の軸部は、それぞれ、ベース部材１０のカード収容部内に形成される軸受部に回動可能に支持されている。また、軸部の半径方向の移動は、それぞれ、後述するロック金具部材１４、１６の可動片の円弧部により規制されている。各軸部の外周部には、それぞれ、ねじりコイルバネが巻装されている。ねじりコイルバネの一端は、アクチュエータ１８の端部に係止され、また、ねじりコイルバネの他端は、ベース部材１０の側壁部に係止されている。これにより、アクチュエータ１８は、図５において上述の軸部を中心としてＳＤカード４２の排出方向となる反時計回り方向に付勢されることとなる。
【００４０】
連結部は、長手方向の一方の端部に、挿入されるＳＤカード４２の進行方向の端部が当接する当接面を有している。一方、挿入されたＤｕｏカード４０は、連結部の下方を通過することとなる。
【００４１】
各軸部がそれぞれ連結される連結部の両端には、後述するロック金具部材１４、１６の可動片の開口部の周縁部にそれぞれ、係止される切欠部が形成されている。切欠部は、上述の連結部における当接面に対向する端面に形成されている。従って、ロック金具部材１４、１６の可動片の開口部の周縁部に係合される鉤状の係合部１８４および１８２が、連結部の両端に形成されることとなる。
【００４２】
一対のロック金具部材１４、１６は、互いに同一の構造を有するのでロック部材１４について説明し、ロック金具部材１６の説明を省略する。
【００４３】
ロック金具部材１４は、ベース部材１０の側壁１０２に直線状に形成される溝に圧入される固定片１４０と、固定片１４０の一端に一体に形成される可動片１４２とを含んで構成されている。
【００４４】
可動片１４２における固定片１４０の一端に連なる部分には、湾曲部が、ＳＤカード４２の側部が通過する部分に張り出すように形成されている。これにより、ロック金具部材１４の湾曲部と相対向するロック金具部材１６の湾曲部との相互間距離は、ＳＤカード４２の横幅寸法よりも若干小なる寸法であって、Ｄｕｏカード４０の横幅寸法よりも大なる寸法とされる。
【００４５】
可動片１４２の一端には、上述のアクチュエータ１８の係合部１８４が挿入される矩形状の開口部が形成されている。開口部の周縁と係合部１８４の外周部との間には、可動片１４２の一端が移動し得るような所定の隙間が形成されている。また、可動片１４２の湾曲部に隣接して可動片１４２の初期位置を規制するストッパ部が設けられている。
【００４６】
これにより、ＳＤカード４２の側部がロック金具部材１４の湾曲部と相対向するロック金具部材１６の湾曲部との間を通過する場合、各湾曲部がＳＤカード４２の両側部によりそれぞれ押圧されるので可動片１４２の開口部は、アクチュエータ１８の係合部１８４に対し離隔することとなる。従って、ロック金具部材１４、１６は、アクチュエータ１８をアンロック状態とすることとなる。これにより、アクチュエータ１８が回動される。その際、回動されたアクチュエータ１８の端部が上述の仕切板２０の端部を押し下げることにより、挿入されたＳＤカード４２が回動されたアクチュエータ１８の上方を通過され、図５に示されるように、仕切板２０の上面を通過されることとなる。
【００４７】
一方、ロック金具部材１４の湾曲部と相対向するロック金具部材１６の湾曲部とを押圧する状態から非押圧状態とされる場合、例えば、ＳＤカード４２がカード収容部から排出された場合、可動片１４２は、その湾曲部の復元力により、上述の初期の位置に戻り、開口部は、ねじりコイルバネの付勢力により付勢され回動されたアクチュエータ１８の係合部１８４に対し嵌め合わされることとなる。従って、ロック金具部材１４、１６は、アクチュエータ１８を再び、初期状態のようにロック状態とすることとなる。
【００４８】
側壁１０２の内側部分には、ＳＤカード４２またはＤｕｏカード４０をカード収容部に保持するとともに、カード収容部からＳＤカード４２またはＤｕｏカード４０を選択的に排出するイジェクト機構２４が設けられている。
【００４９】
イジェクト機構２４は、ベース部材１０に対し移動可能に支持され、ＳＤカード４２およびＤｕｏカード４０を選択的に保持する第１のイジェクト部材２４２および第２のイジェクト部材２４４と、ベース部材１０のコンタクト端子固定壁部１０３に隣接する壁および第１のイジェクト部材２４２相互間に介装され、第１のイジェクト部材２４２および第２のイジェクト部材２４４をＳＤカード４２およびＤｕｏカード４０の排出方向に付勢するコイルスプリング２２と、ＳＤカード４２の着脱操作に応じて第１のイジェクト部材２４２および第２のイジェクト部材２４４を選択的にベース部材１０に対し保持または解放する制御を行うイジェクト部材制御部と、を含んで構成されている。
【００５０】
イジェクト部材制御部は、特開２００４−３１１４１６号公報にも示されるような第１のイジェクト部材２４２における側壁１０２側に形成された略ハート形状のカム要素（ハートカム）と、ハートカムの周囲に形成された複数の段差部からなるレバー案内溝と、一方の端部が側壁１０２の内側に設けられる孔に連結され、他方の端部がレバー案内溝に沿って摺動せしめられる門形状のカムレバー５０と、上述のカバー部材１２の押えバネ１２２（図４参照）とを含んで構成されている。
【００５１】
押えバネ１２２は、カムレバー５０の屈曲された先端をレバー案内溝の案内面に対し摺接するように付勢するものとされる。これにより、カムレバー５０の一端部が、第１のイジェクト部材２４２の動作に追従してレバー案内溝を構成する各案内溝を順次、経由して案内され、ハートカムに形成されるカム面に一旦、保持されることによって、ＳＤカード４２またはＤｕｏカード４０を伴う第１のイジェクト部材２４２がカード収容部内に保持されることとなる。そして、ＳＤカード４２またはＤｕｏカード４０のさらなる押し込み操作により、そのカムレバー５０の一端部が、カム面から離隔されるとき、ＳＤカード４２またはＤｕｏカード４０を伴う第１のイジェクト部材２４２がコイルスプリング２２の付勢力によりカード排出方向に移動せしめられる。第１のイジェクト部材２４２は、挿入されたＳＤカード４２の面取り部が当接される斜面部２４３を有している。
【００５２】
また、第１のイジェクト部材２４２には、例えば、樹脂材料で成形され、図１に部分的に拡大して示されるように、挿入されたＤｕｏカード４０を選択的に保持する第２のイジェクト部材２４４が連結部２４６を介して一体に形成されている。
【００５３】
第２のイジェクト部材２４４は、Ｄｕｏカード４０の着脱方向に沿って延びるカード支持部材２４８を有している。カード支持部材２４８は、位置決め部材２４７を末端側に有している。位置決め部材２４７は、挿入されたＤｕｏカード４０の裏面部における先端部の凹部４０２（図５参照）に嵌め合わされ、Ｄｕｏカード４０を第２のイジェクト部材２４４に対し位置決めするものとされる。カード支持部材２４８の基端側の端部には、突き当て面２４１を有している。第１の突き当て面２４１には、挿入されたＤｕｏカード４０の先端部の端面が当接される。第２のイジェクト部材２４４における第１の突き当て面２４１を含んでなる段状部に連なる端には、挿入されたＳＤカード４２の先端部の端面が突き当てられる第２の突き当て面２４９が形成されている。図５に拡大されて示されるように、第１の突き当て面２４１の位置は、第２の突き当て面２４９の位置に比して所定距離ΔＤａ、例えば、約１ｍｍだけカードスロットに近い位置に設定されている。これにより、図５に拡大されて示されるように、挿入されたＤｕｏカード４０およびＳＤカード４２におけるカードスロットから突出した長さは、略同一となるのでＤｕｏカード４０およびＳＤカード４２におけるカードスロットから突出した端面は、共通の平面上に配されることとなる。従って、搭載される電子機器において、ＩＣカード用コネクタのカードスロット１０４から突出したＤｕｏカード４０またはＳＤカード４２の端部を覆う共通の蓋部材をカードコネクタに対応させ筐体に設けることが容易となる。
【００５４】
その際、第２のイジェクト部材２４４は、挿入されたＤｕｏカード４０の裏面部における先端部の凹部４０２に嵌め合わされる位置決め部材２４７と、Ｄｕｏカード４０の先端部の端面が当接される第１の突き当て面２４１とを有するので第２のイジェクト部材２４４におけるＤｕｏカード４０の厚さ方向の高さを低くすることが図られる。従って、ＩＣカード用コネクタの低背化が図られる。
【００５５】
側壁１０１におけるイジェクト機構２４に相対向した部分には、ＳＤカード４２の有無およびＳＤカード４２のライトプロテクトボタンの位置を検出する検出スイッチ群３４が設けられている。
【００５６】
斯かる構成において、ＳＤカード４２がカード収容部に装着される場合、カードスロット１０４を通過するＳＤカード４２の先端部により、ロック金具部材１４の湾曲部と相対向するロック金具部材１６の湾曲部とが互いに離隔する方向に押圧されることとなる。これにより、各可動片１４２の開口部が、それぞれ、アクチュエータ１８の係合部１８２および１８４に対し離隔せしめられる。従って、アクチュエータ１８は、アンロック状態とされる。
【００５７】
次に、ＳＤカード４２の先端部がさらに進行方向に沿って挿入されることにより、ＳＤカード４２の先端部がアクチュエータ１８の当接面に当接した状態でアクチュエータ１８がネジリコイルバネの付勢力に抗して回動されることにより、ＳＤカード４２は、アクチュエータ１８および仕切り板２０の真上を通過して第１のイジェクト部材２４２および第２のイジェクト部材２４４により所定位置に保持されることとなる。
【００５８】
一方、ＳＤカード４２がカード収容部から取り出される場合、ＳＤカード４２がさらに若干押し込まれることにより、イジェクト機構のコイルスプリング２２の付勢力により、第１のイジェクト部材２４２および第２のイジェクト部材２４４とともにＳＤカード４２が排出方向に移動せしめられる。その際、アクチュエータ１８がねじりコイルバネの付勢力により、回動されるとともに、ロック金具部材１４の可動片１４２の開口部と相対向するロック金具部材１６の可動片の開口部が、その復元力により、係合部１８２および１８４に対向する位置に戻り、挿入される。これにより、アクチュエータ１８が再び、初期のロック状態に戻される。
【００５９】
Ｄｕｏカード４０がカード収容部の正規の位置に装着される場合、挿入されたＤｕｏカード４０の先端が、ロック金具部材１４の湾曲部と相対向するロック部材１６の湾曲部との相互間を通過し、アクチュエータ１８の連結部および仕切り板２０の真下を通過して正規の下方のカード収容部の部位に導入されることとなる。その際、上述の第２のイジェクト部材２４４における位置決め部材２４７は、挿入されたＤｕｏカード４０の裏面部における先端部の凹部４０２（図５参照）に嵌め合わされる。その際、Ｄｕｏカード４０の凹部４０２の一部を形成する閉端面が位置決め部材２４７の端面に当接された後、さらにＤｕｏカード４０が第２のイジェクト部材２４４および第１のイジェクト部材２４２を伴って所定位置まで押し込まれる。これにより、挿入されたＤｕｏカード４０が第２のイジェクト部材２４４における所定位置に保持されることとなる。
【００６０】
一方、Ｄｕｏカード４０がカード収容部から取り出される場合、Ｄｕｏカードがさらに若干押し込まれることにより、イジェクト機構のコイルスプリング２２の付勢力により、第１のイジェクト部材２４２および第２のイジェクト部材２４４とともにＤｕｏカードが排出方向に移動せしめられる。
【符号の説明】
【００６１】
１０    ベース部材
１２    カバー部材
２４    イジェクト機構
２６，３０    コンタクト端子
４０    Ｄｕｏカード
４２    ＳＤカード
２４１    第１の突き当て面
２４２    第１のイジェクト部材
２４４    第２のイジェクト部材
２４７    位置決め部材
２４８    カード支持部材
２４９    第２の突き当て面
【図１】
0005811926.tif 000002
【図２】
0005811926.tif 000003
【図３】
0005811926.tif 000004
【図４】
0005811926.tif 000005
【図５】
0005811926.tif 000006